(57)【特許請求の範囲】
【請求項１】
多数の球を一列の整列状態で上方より下方に誘導する球通路と、球通路の中間部から一側方に膨出する払出体収納部と、払出体収納部に回転可能に収容されかつ球通路より数珠つなぎに流下する上方の球と下方の球とを周縁部に半円弧に形成された複数の凹部に取込むことによって互いに接触しないように切分けて上方から下方に放出する球払出体と、球払出体を球払出阻止としたり球払出許可としたりする払出モータまたは電磁ソレノイドと、払出体収納部よりも下流側に設けられかつ球払出体より解放されて自重落下する球を１個ずつ検出する毎に球検出信号を出力しかつ検出した球を下方に通過させる球検出器と、球検出器よりも下流側に設けられた開閉体ケースと、球検出器から下方に通過した球を開閉体ケースの内部に取り入れるように開閉体ケースに設けられた球取入口部と、開閉体ケースの内部から開閉体ケースの下方に球を排出する球払出通路と、球通路による球を上方から下方に誘導する方向と交差する方向に回転するように開閉体ケースの内部に回転可能に装着された通路開閉体と、球取入口部から開閉体ケースの内部に取り入れられた球を球払出通路に案内するように通路開閉体に設けられた球払出用孔と、通路開閉体に対するアクチュエータとを備え、アクチュエータは、球払出体に対する球払出阻止中は球払出用孔を球払出通路から横方向に位置をずらして開閉体ケースで閉鎖されるように通路開閉体を回転して停止し、球払出体に対する球払出許可中は開閉体ケースで閉鎖された位置から球払出用孔を球払出通路に繋がるように通路開閉体を回転して停止することを特徴とする遊技設備の球払出装置。
【請求項２】
開閉体ケースが開閉体ケースの内部から開閉体ケースの下方に球を排出する球抜通路を備え、通路開閉体が球取入口部から開閉体ケースの内部に取り入れられた球を球抜通路に案内するように設けられた球抜用孔を備え、球払出体に対する球払出阻止中において、アクチュエータによって通路開閉体が球払出用孔を球払出通路から横方向に位置をずらして開閉体ケースで閉鎖されるように回転して停止すると、通路開閉体の球抜用孔と開閉体ケースの球抜通路とが互いに繋がることを特徴とする請求項１記載の遊技設備の球払出装置。
【発明の詳細な説明】
【０００１】
【発明の属する技術分野】
本発明は、パチンコ機やスロットマシン等の球を遊技媒体として使用する遊技設備の球計数装置に関する。
【０００２】
【従来の技術】
図１２は特開平６−７５１１号公報で開示されたパチンコ機の球払出装置を示す。この球払出装置は球払出体１０１が球払出阻止中（非動作中）において、球払出体１０１よりも上流側に設けられた球検出器１０２が５個以上の球１０３を検出（検出器が５回オン動作）すると、球払出体１０１よりも下流側に設けられた切換弁１０４が駆動され、切換弁１０４が球払出体１０１の設けられた球通路１０５を球抜通路１０６に切り替えて球１０３をパチンコ店側に回収することにより、遊技者が不正に球の払出を受けることができないようになっている。
【０００３】
【発明が解決しようとする課題】
しかし、前記従来例は５個以上の球１０３が遊技者の側に不正に払出された後に切換弁１０４を切替える構造であるため、遊技者がピアノ線のような不正操作体を上皿装置の球流入口より挿入して球検出器１０２を不正にオン動作させた場合、所定数の球１０３が球払出装置より上皿装置に払出されてしまうことは否めない。
【０００４】
そこで、本発明は球払出阻止中においては上皿装置から球通路への不正操作体の挿入を遮断して、遊技者による球払出に対する不正行為を防止することができる球計数装置を提供するものである。
【０００５】
【課題を解決するための手段】
本発明に係る遊技設備の球払出装置は、多数の球を一列の整列状態で上方より下方に誘導する球通路と、球通路の中間部から一側方に膨出する払出体収納部と、払出体収納部に回転可能に収容されかつ球通路より数珠つなぎに流下する上方の球と下方の球とを周縁部に半円弧に形成された複数の凹部に取込むことによって互いに接触しないように切分けて上方から下方に放出する球払出体と、球払出体を球払出阻止としたり球払出許可としたりする払出モータまたは電磁ソレノイドと、払出体収納部よりも下流側に設けられかつ球払出体より解放されて自重落下する球を１個ずつ検出する毎に球検出信号を出力しかつ検出した球を下方に通過させる球検出器と、球検出器よりも下流側に設けられた開閉体ケースと、球検出器から下方に通過した球を開閉体ケースの内部に取り入れるように開閉体ケースに設けられた球取入口部と、開閉体ケースの内部から開閉体ケースの下方に球を排出する球払出通路と、球通路による球を上方から下方に誘導する方向と交差する方向に回転するように開閉体ケースの内部に回転可能に装着された通路開閉体と、球取入口部から開閉体ケースの内部に取り入れられた球を球払出通路に案内するように通路開閉体に設けられた球払出用孔と、通路開閉体に対するアクチュエータとを備え、アクチュエータは、球払出体に対する球払出阻止中は球払出用孔を球払出通路から横方向に位置をずらして開閉体ケースで閉鎖されるように通路開閉体を回転して停止し、球払出体に対する球払出許可中は開閉体ケースで閉鎖された位置から球払出用孔を球払出通路に繋がるように通路開閉体を回転して停止することを最も主要な特徴とする。これによって、本発明に係る遊技設備の球払出装置によれば、球払出阻止中は通路開閉体が球検出器よりも下流側の球通路を閉じているので、不正操作部材が遊技設備の前側より球検出器側に挿入されることを通路開閉体が阻止し、遊技者による球払出に対する不正行為を防止することができ、球払出許可中は通路開閉体が球検出器よりも下流側の球通路を開いて、球検出器を通過した球を正常に払出すことができる。本発明に係る遊技設備の球払出装置において、開閉体ケースが開閉体ケースの内部から開閉体ケースの下方に球を排出する球抜通路を備え、通路開閉体が球取入口部から開閉体ケースの内部に取り入れられた球を球抜通路に案内するように設けられた球抜用孔を備え、球払出体に対する球払出阻止中において、アクチュエータによって通路開閉体が球払出用孔を球払出通路から横方向に位置をずらして開閉体ケースで閉鎖されるように回転して停止すると、通路開閉体の球抜用孔と開閉体ケースの球抜通路とが互いに繋がるようにすれば、球払出阻止中は通路開閉体が球払出通路を閉鎖すると共に球抜通路を開放し、球払出許可中は通路開閉体が球払出通路を開放すると共に球抜通路を閉鎖するので、球払出阻止中に払出された球を遊技者側に供給することなく遊技店側に回収することができる。
【０００６】
【発明の実施の形態】
図１〜図８は第１実施形態であって、図１は球計数装置１１を含む球払出装置１の主要構造部を模式的に示し、図２は球払出装置１を側面的に示し、図３は通路開閉体１２を上面より示し、図４は図３をＢ−Ｂ線に沿い切断した断面を示し、図５は図１をＡ−Ａ線に沿い切断した開閉体ケース１４の断面を示し、図６は球払出阻止中における通路開閉体１２と開閉体ケース１４との関係を示し、図７は球払出許可中における通路開閉体１２と開閉体ケース１４との関係を示し、図８は球払出制御系統を示す。
【０００７】
図１を参照し、球払出装置１の主要構造部について説明する。球通路２は装置基体３に固定された通路ケース４によって球５を一列状に流下させるように囲み形成されていて多数の球５を一列のような整列状態で上方より下方に蛇行しながら誘導する形態であって、中間部より一側方に膨出する払出体収納部６を備え、払出体収納部６にスプロケットタイプの球払出体７を回転可能に備える。球払出体７は払出体収納部６に脱落防止状態で両支持された払出体軸８を中心として回転する周縁部に半円弧に形成された複数の凹部９を等間隔に備えていて、球通路２より数珠つなぎに流下する上方の球５と下方の球５とを凹部９に取込むことで互いに接触しないように切分けて球検出器１０の方向に放出する部材である。球計数装置１１の主要素である球検出器１０は払出体収納部６よりも下流側における通路ケース４の内部に取付けられた光通過形のような検出器により形成されていて、球払出体７より解放されて球検出器１０の検出用孔１３を自重落下する球５を１個ずつ検出する毎に球計数信号としての球検出信号を出力する。
【０００８】
通路開閉体１２は装置基体３に固定された開閉体ケース１４の内部に回転可能に装着されていて、球抜用孔１５及び球払出用孔１６を備える。開閉体ケース１４は球取入口部１７と球抜通路１８及び球払出通路１９を備える。球取入口部１７及び球抜通路１８は通路開閉体１２の球抜用孔１５を介して球検出器１０よりも下流側の球通路２に連なり、球取入口部１７及び球払出通路１９は通路開閉体１２の球払出用孔１６介して球検出器１０よりも下流側の球通路２に連なることは可能になっているが、通路開閉体１２が回転して図１に示すように停止したことで、球取入口部１７と球抜用孔１５及び球抜通路１８が互いに連なった場合には球払出通路１９及び球払出用孔１６が球取入口部１７と遮断される。これとは逆に、通路開閉体１２が図１に示す位置から一方向に所定角度だけ回転して停止したことで、球取入口部１７と球払出通路１９及び球払出用孔１６が互いに連なった場合には球抜用孔１５及び球抜通路１８が球取入口部１７と遮断される。球抜通路１８は球をパチンコ店側に回収するための球通路であり、球払出通路１９は球を図８に示すパチンコ機３５の前側に設けられた上皿装置等のような球受部品に供給する球通路である。
【０００９】
図２を参照し、球払出装置１の構造について説明する。図２では断面個所の関係から通路開閉体１２における球払出用孔１６の図示が省略されている。球払出体７と一緒に回転する払出体軸８の通路ケース４より外側に突出する一端部はアクチュエータたる払出モータ２１のモータ軸２２に歯車列を介して連結される。この歯車列は払出体軸８に一緒に回転するように固定された歯車２４とモータ軸２２に一緒に回転するように固定された歯車２５とを互いに噛合せたことにより構成される。通路開閉体１２に一緒に回転するように固定された開閉体軸２６は開閉体ケース１４の上部に回転可能に支持される。開閉体軸２６の開閉体ケース１４より上部に突出した一端部はアクチュエータたる開閉モータ２７のモータ軸２８に歯車列を介して連結される。この歯車列は開閉体軸２６に一緒に回転するように固定された歯車３０とモータ軸２８に一緒に回転するように固定された歯車３１とを互いに噛合せたことにより構成される。払出モータ２１は通路ケース４又は装置基体３に固定され、開閉モータ２７は開閉体ケース１４又は装置基体３に固定される。
【００１０】
図３を参照し、通路開閉体１２について説明する。通路開閉体１２は開閉体軸２６を中心とする円盤状であって、周縁部に球抜用孔１５及び球払出用孔１６を備える。球抜用孔１５は通路開閉体１２の上下方向に貫通しかつ通路開閉体１２の周縁部より内側に窪む１個の球が通過可能な溝になっている。球払出用孔１６は周縁部が縁取りされた弧状であって、図４にも示すように、球抜用孔１５側から他方に向けて１個の球５が自然流下可能な底面を有し、他端部に１個の球５が通過可能な上下方向への貫通孔３２を備える。
【００１１】
図５を参照し、開閉体ケース１４について説明する。図５では断面個所の関係から球取入口部１７の図示が省略されている。開閉体ケース１４は開閉体軸２６と対応する部分の周囲に球抜通路１８及び球払出通路１９を備える。球抜通路１８及び球払出通路１９それぞれは１個の球５が通過可能な上下方向への貫通孔であって、上端が開閉体収納部に個別に連なり、下端が開閉体ケース１４の下端で外側に個別に連なる。
【００１２】
図６を参照し、球払出阻止中における通路開閉体１２と開閉体ケース１４との関係について説明する。球通路２（図１参照）の下流端に配置された検出用孔１３が球抜通路１８の真上に位置し、通路開閉体１２が開閉体軸２６を中心として図７より矢印Ｘ２方向に所定角度だけ回転して停止し、球抜用孔１５が検出用孔１３及び球抜通路１８と同軸上に配置され、球払出用孔１６の有底端部が球払出通路１９を閉鎖し、球払出用孔１６の貫通孔３２が開閉体ケース１４で閉鎖された状態である。
【００１３】
図７を参照し、球払出許可中における通路開閉体１２と開閉体ケース１４との関係について説明する。検出用孔１３が球抜通路１８の真上に位置し、通路開閉体１２が開閉体軸２６を中心として図６より矢印Ｘ１方向に所定角度だけ回転して停止し、球払出用孔１６の有底端部が検出用孔１３及び球抜通路１８と同軸上に配置され、球払出用孔１６の貫通孔３２が球払出通路１９と同軸上に配置され、球抜用孔１５が開閉体ケース１４で閉鎖された状態である。
【００１４】
図８を参照し、球払出制御系統について説明する。球払出装置１を備えたパチンコ機３５が設置される島設備３６の球補給装置３７から球５が島設備側球計数装置３８を経由してパチンコ機３５の球払出装置１に供給される。その状態においては、球払出体７が払出モータ２１で強制的に停止されていて上記供給された球５を球通路２に突出した球払出体７と通路ケース４との共働により球通路２内に留置く。この球５を球通路２内に留置く状態が球払出体７における球払出阻止の形態である。この球払出体７が球払出阻止中は通路開閉体１２が開閉体ケース１４に対し図６に示す状態に保持され、通路開閉体１２が球検出器１０よりも下流側の球通路２を開閉体ケース１４の球払出通路１９から遮断するように閉鎖する。
【００１５】
そして、パチンコ機３５における遊技進行に伴い、パチンコ機３５に設けられた入賞センサ４１がパチンコ機３５での入賞球を検出した信号をＣＰＵやＲＯＭ及びＲＡＭ等からなるコンピュータを備えた主制御装置４２に入力されると、主制御装置４２が入賞センサ４１に対応して設定された賞球払出数と賞球払出許可とを含むコマンドを球払出制御装置４３に一方向に出力する。このコマンドを受信した球払出制御装置４３は当該コマンドにより正常賞球払出動作であると判定して球払出開始信号を開閉モータ２７及び払出モータ２１に出力する。
【００１６】
その結果、開閉モータ２７が一方向に回転駆動して通路開閉体１２を開閉体ケース１４に対し図７に示す状態に保持し、払出モータ２１を一方向に回転駆動する。この払出モータ２１の駆動によって、球払出体７が球払出許可の形態となる。この結果、球払出体７が球払出許可中は通路開閉体１２が開閉体ケース１４に対し図７に示す状態に保持されて球検出器１０よりも下流側の球通路２を開閉体ケース１４の球払出通路１９に繋げるように開放する。この球払出体７の球払出許可中は通路開閉体１２が球５の重さを受けつつ回転駆動し、球５が賞球又は貸球として球通路２を流下する。この球払出体７より解放されて自重落下する球５は１個ずつ球検出器１０で検出されて球通路２より球払出用孔１６を経由して球払出通路１９に払出される。球検出器１０は球５を検出する毎に球検出信号を制御装置に出力する。
【００１７】
そして、球払出制御装置４３は球検出信号を計数した検出球払出数が球払出開始信号と対応する設定球払出数になると球払出停止信号を開閉モータ２７及び払出モータ２１に出力する。これによって、払出モータ２１が停止した後に、開閉モータ２７が上記とは逆方向に回転駆動して通路開閉体１２を開閉体ケース１４に対し図６に示す状態に保持して停止する。これによって、球払出体７が停止し、球５が球払出体７により上流側の球通路２内に留置かれた球払出阻止の形態となる。
【００１８】
この球払出体７による球払出阻止中においては主制御装置４２から球払出制御装置４３への設定賞球払出数と賞球払出許可とを含むコマンドの一方向通信が中止されている。その状態において、球検出器１０から球検出信号が球払出制御装置４３に入力した場合は、球払出制御装置４３が主制御装置４２からの賞球払出許可が無いのに球検出信号が入力されたことから異常賞球払出動作であると判定して球払出異常信号を出力する。この球払出制御装置４３から出力された球払出異常信号によりパチンコ機３５の遊技者側である前側に設けられた表示灯やパチンコ機３５に設けられたスピーカ或いはパチンコ機３５に専用に設けられた異常報知器更には島設備３６設備に設けられた表示灯やスピーカ或いは異常報知器等を作動させて球払出の異常を報知すれば、計数装置の異常動作を遊技者及び店員に適切に告げることができる。
【００１９】
この球払出体７による球払出阻止中は通路開閉体１２が図６に示すように球検出器１０よりも下流側の球通路２を開閉体ケース１４の球抜通路１８に繋ぎ球払出通路１９とは遮断するように閉鎖しているので、遊技者がピアノ線のような不正操作体を上皿装置の球流入口より挿入して球検出器１０を不正にオン動作させるような不正行為を行ったとしても、当該不正操作部材は上皿装置の球流入口より図１の球払出通路１９を経由して通路開閉体１２の球払出用孔１６に到達するだけであって通路開閉体１２と開閉体ケース１４とでそれ以上奥に行くことを阻止される。これによって、不正操作部材は開閉体ケース１４の球取入口部１７や球検出器１０の検出用孔１３に進入することができず、遊技者による球払出に対する不正行為を防止することができる。
【００２０】
図９及び図１０は第２実施形態であって、図９は通路開閉体１２を上面より示し、図１０はＡ−Ａ線断面に相当する開閉体ケース１４の断面を示す。図９において、通路開閉体１２は元々の球払出用孔１６に加えてもう１つの球払出用孔４５を球抜用孔１５よりも反対側に位置するように周縁部に備える。この追加された球払出用孔４５は球抜用孔１５を挟んで元々の球払出用孔１６と対称形となった周縁部が縁取りされた弧状であって、球抜用孔１５側から他方に向けて１個の球５が自然流下可能な底面を有し、他端部に１個の球５が通過可能な上下方向への貫通孔４６を備える。図１０において、開閉体ケース１４は元々の球払出通路１９に加えてもう１つの球払出通路４７を球抜通路１８よりも反対側に位置するように開閉体軸２６と対応する部分の周囲に備える。
【００２１】
そして、図９に示す通路開閉体１２を図１０に示す開閉体ケース１４に開閉体軸２６を中心として回転し得るように組合わせると共に、通路開閉体１２の球抜用孔１５と開閉体ケース１４の球抜通路１８とが合った状態において、通路開閉体１２が図２に示す開閉モータ２７より図９に示す矢印Ｘ３方向に所定角度回転駆動して停止することにより、元々の球払出用孔１６が図１の球検出器１０よりも下流側の球通路２と開閉体ケース１４の球抜通路１８とが繋がり、通路開閉体１２が開閉モータ２７より図９に示す矢印Ｘ４方向に所定角度回転駆動して停止することにより、追加の球払出用孔４５が球通路２と開閉体ケース１４の球抜通路１８とが繋がる。
【００２２】
図９の通路開閉体１２が複数の球払出用孔１６；４５を有し、図１０の開閉体ケース１４が複数の球払出通路１９；４７を有する第２実施形態によれば、球計数装置１１を備えた球払出装置１を図８に示す１台のパチンコ機３５に複数設ける場合において、図８に示す払出モータ２１及び開閉モータ２７の回転方向を制御することにより、各球払出装置１に１個の通路開閉体１２及び１個の開閉体ケース１４を共通に使用することができる。このように１個の通路開閉体１２及び１個の開閉体ケース１４を複数の球払出装置１に共通使用した場合、一方の球払出装置１の球払出通路１９から上皿装置の球流入口に球が払出される位置と他方の球払出装置１の球払出通路４７から上皿装置の球流入口に球が払出される位置とが異なることになり、それらの異なる位置を遊技者が視認することで、賞球による球払出か、貸球による球払出かを遊技者に適切に確認させることができる。
【００２３】
図１１は第３実施形態の球払出装置１を正面より示し、球払出体７を電磁ソレノイド５１で球払出阻止としたり球払出許可としたりするものである。電磁ソレノイド５１に連結体５２や駆動レバー５３及び爪ばね５４等を介して連結された爪５５が球払出体７に一緒に回転し得るように設けられた爪車５６に係合して球払出体７を停止する。これによって、球５を球通路２に突出した球払出体７と球通路２に設けられた段差部５７との共働により球通路２内に留置く。その状態において、電磁ソレノイド５１が図８の球払出制御装置４３からの球払出開始信号により励磁されてプランジャ５８を吸引し、駆動レバー５３が支点５３ａを中心として動作し、爪５５が爪ばね５４のばね力で駆動レバー５３と一緒に動き、爪５５と爪車５６との係合が解除されることにより、球払出許可の形態となる。そして、球払出体７より解放されて自重落下する球５は球検出器１０で検出された後通路開閉体１２を経由して払出される。その後、球払出制御装置４３が球払出停止信号を電磁ソレノイド５１に出力し、電磁ソレノイド５１が上記球払出制御装置４３からの球払出停止信号により消磁され、復帰ばね５９によりプランジャ５８が下方に突出し、爪５５が爪ばね５４のばね力で駆動レバー５３と一緒に動き、爪５５が爪車５６に係合する。この時、爪５５が爪ばね５４の撓みにより駆動レバー５３と別の動きをすることで、爪車５６に係合する際の爪５５のバックラッシュが吸収され、爪５５が爪車５６の所定位置に適切に係合する。これによって、球払出体７が停止し、球５が球払出体７で球通路２内に留置かれた球払出阻止の形態となる。
【００２４】
各実施形態では通路ケース４と開閉体ケース１４と単一体として形成しても良く、通路ケース４の装置基体側壁や開閉体ケース１４の装置基体側壁を装置基体３で形成しても良い。球計数装置１１は島側球計数装置３８としても適用できる。遊技媒体にパチンコ機に使用する球を利用するスロットマシンにも適用できるが、この場合には入賞センサ４１の球検出信号を当り遊技信号と読替えれば良いことは明らかである。球払出体７は直進運動や揺動運動で球払出阻止と球払出許可を行なう構造でも良い。通路開閉体１２より球抜用孔１５及び球払出用孔を除去し、球検出器１０よりも下流側における球通路２に球抜通路１８及び球払出通路１９を二股状に接続し、球抜通路１８と球払出通路１９との分岐部分に通路開閉体１２を設け、球払出阻止中は通路開閉体１２が球払出通路１９を閉鎖すると共に球抜通路１８を開放し、球払出許可中は通路開閉体１２が球払出通路１９を開放すると共に球抜通路１８を閉鎖する構造でも適用できる。
【図面の簡単な説明】
【図１】  第１実施形に係る球払出装置の主要構造部を示す模式図。
【図２】  第１実施形態の球払出装置を示す側面的な断面図。
【図３】  第１実施形態の通路開閉体の平面図。
【図４】  第１実施形態の図３のＢ−Ｂ線断面図。
【図５】  第１実施形態の図１のＡ−Ａ線断面図。
【図６】  第１実施形態の球払出阻止中を示す作用説明図。
【図７】  第１実施形態の球払出許可中を示す作用説明図。
【図８】  第１実施形態の球払出制御系統を示す模式図。
【図９】  第２実施形態の通路開閉体を示す平面図。
【図１０】  第２実施形態のＡ−Ａ線断面に相当する断面図。
【図１１】  第３実施形態の球払出装置を示す正面図。
【図１２】  従来例を示す模式図。
【符号の説明】
２  球通路
５  球
１０  球検出器
１２  通路開閉体
１５  球抜用孔
１６  球払出用孔
１８  球抜通路
２７  開閉モータ（アクチュエータ）
【図１】
0003859980.tif 000002
【図２】
0003859980.tif 000003
【図３】
0003859980.tif 000004
【図４】
0003859980.tif 000005
【図５】
0003859980.tif 000006
【図６】
0003859980.tif 000007
【図７】
0003859980.tif 000008
【図８】
0003859980.tif 000009
【図９】
0003859980.tif 000010
【図１０】
0003859980.tif 000011
【図１１】
0003859980.tif 000012
【図１２】
0003859980.tif 000013